(57)【要約】  緊急サービス目的のためにユーザーに関連付けられた場所情報を提供するための技術が、概して説明される。（さまざまなモダリティでの）ユーザー開始の緊急通信による、または１つまたは複数の既知の信号ソースを用いる外部トリガー信号によるトリガー時に、ワイヤレス通信デバイスを通してユーザー場所が特定され、緊急サービスプロバイダーに提供されてよい。ユーザー場所はまた、周期的に特定され／更新され、緊急通信のトリガー時に精緻化されてもよい。いくつかの例において、ユーザーのワイヤレスデバイスと、緊急サービスプロバイダーとの間の通信は、信頼できる通信を保証するために優先度付けされてよい。
2016508355.tif 000002
【特許請求の範囲】
【請求項１】
緊急サービス目的のためにユーザーに関連付けられた場所情報を提供するための、少なくとも部分的にコンピューティングデバイスにおいて実行される方法であって、
ワイヤレスデバイスによって提供される１つまたは複数のモダリティの中のモダリティでの緊急通信セッションの開始を検出するステップと、
ワイヤレスソースからの複数の信号に基づいて、前記ワイヤレスデバイスの場所を特定するステップと、
認識による情報に基づいて、特定された前記場所を精緻化するステップと、
前記場所を緊急サービスプロバイダーに提供するステップと
を含む方法。
【請求項２】
請求項１に記載の方法であって、
前記ワイヤレスデバイス、１つまたは複数のアクセスポイント、および前記ワイヤレスソースから受信されたデータに基づいた場所情報を、場所サーバーに保持するステップ
をさらに含む方法。
【請求項３】
請求項１に記載の方法であって、前記ワイヤレスソースが、ワイヤレスネットワークに関連付けられたアクセスポイントであり、前記方法は、
１つまたは複数のプローブ信号を、前記ワイヤレスネットワークにおける１つまたは複数のルーターに送信するステップと、
信頼できるアクセスポイントのリストを特定するステップと、
アクセスポイント場所情報および応答タイミング情報に基づいて、三角測量を実施するステップと
をさらに含む、方法。
【請求項４】
請求項３に記載の方法であって、
前記アクセスポイント場所情報が、前記アクセスポイントから利用可能でない場合に、前記アクセスポイント場所情報について前記ワイヤレスネットワークに関連付けられた場所サーバーにクエリするステップ
をさらに含む方法。
【請求項５】
請求項１に記載の方法であって、
前記ワイヤレスソースからの前記複数の信号として、無線局、ＴＶ局、および緊急ブロードキャストビーコンのうちの１つからの信号においてエンコードされた識別情報を用いるステップ
をさらに含む方法。
【請求項６】
請求項１に記載の方法であって、
前記ワイヤレスデバイスの前記場所を特定するために、アクセスポイント、無線局、ＴＶ局、および緊急ブロードキャストビーコンのうちの少なくとも２組からの場所情報とタイミング情報とを組み合わせるステップ
をさらに含む方法。
【請求項７】
緊急サービス目的のためにユーザーに関連付けられた場所情報を提供するためのワイヤレス通信能力を有するコンピューティングデバイスであって、前記コンピューティングデバイスは、
命令を記憶するメモリと、
ワイヤレス通信モジュールと、
前記メモリおよび前記通信モジュールに結合されたプロセッサと
を含み、前記プロセッサは通信アプリケーションを実行し、前記通信アプリケーションは、
ワイヤレスソースからの複数の信号に基づいて、前記コンピューティングデバイスの場所を周期的に特定し、
コンピューティングデバイスによって提供される１つまたは複数のモダリティの中のモダリティでの緊急通信セッションの開始を検出し、前記緊急通信セッションは、前記ワイヤレスデバイスのユーザー、前記ユーザーの代わりの前記ユーザーとの継続中の通信セッションの関係者、および外部トリガー信号のうちの１つによってトリガーされ、
前記緊急通信セッションの前記開始の後に、前記ワイヤレスソースからの前記複数の信号に基づいて、前記コンピューティングデバイスの場所を特定し、
認識による情報に基づいて、特定された前記場所を精緻化し、
前記場所を緊急サービスプロバイダーに提供し、
前記ユーザーと前記緊急サービスプロバイダーとの間の中断されない通信を保証するために、前記緊急通信セッションに優先度付けする
ように構成された、コンピューティングデバイス。
【請求項８】
請求項７に記載のコンピューティングデバイスであって、前記コンピューティングデバイスは、通信を促進するために、ワイヤレスネットワーク上の１つまたは複数のアクセスポイントと通信するように構成され、前記１つまたは複数のアクセスポイントは、前記ワイヤレスソースである、コンピューティングデバイス。
【請求項９】
請求項７に記載のコンピューティングデバイスであって、前記コンピューティングデバイスの前記場所は、前記ワイヤレスデバイスのうちの１つまたは複数で再構築され、その後場所サーバーに送られ、前記場所サーバーで、および１つまたは複数のネットワークソースで、コンピューティングデバイス。
【請求項１０】
緊急サービス目的のためにユーザーに関連付けられた場所情報を提供するための命令が記憶されたコンピューター可読メモリデバイスであって、前記命令は、
ワイヤレスデバイスによって提供される１つまたは複数のモダリティの中のモダリティでの緊急通信セッションの開始を検出することであって、前記緊急通信セッションは、前記ワイヤレスデバイスのユーザー、前記ユーザーの代わりの前記ユーザーとの継続中の通信セッションの関係者、および外部トリガー信号のうちの１つによってトリガーされる、検出することと、
ワイヤレスソースからの複数の信号に基づいて、前記ワイヤレスデバイスの場所を特定することと、
認識による情報に基づいて、特定された前記場所を精緻化することと、
特定された前記場所を、既知の場所にジオマッピングすることと、
前記既知の場所を緊急サービスプロバイダーに提供することと、
前記ユーザーと前記緊急サービスプロバイダーとの間の中断されない通信を保証するために、前記緊急通信セッションに優先度付けすることと
を含む、コンピューター可読メモリデバイス。
【発明の詳細な説明】
【背景技術】
【０００１】
[0001]コンピューティングおよびネットワーキング技術の急増に伴い、従来の通信は、ますますデータネットワークに、とりわけ、ワイヤレスネットワークに移行している。たとえば、統合コミュニケーション技術は、ユーザーが、ワイヤードおよびワイヤレスネットワークを通して、さまざまなモダリティ、およびポータブルデバイスを含むクライアントデバイスを介して、通信するのを可能にする。移動体通信ネットワークは、初期のワイヤレス通信を幅広いユーザーに提供したが、ワイヤレスローカルエリアネットワーク、ワイドエリアネットワーク、および同様のネットワークが、ますます、移動体通信ネットワークによって提案された通信能力を補完している、またはそれに取って代わってきている。実際、増え続ける数のユーザーが、自分の公衆交換電話網（ＰＳＴＮ）接続を使わないようになり、ホームネットワークおよびエンタープライズネットワークを含むワイヤレスネットワークを利用することができる、ボイスオーバーＩＰ（ＶＯＩＰ）通信を支持している。
【０００２】
[0002]緊急サービスは、そのようなサービスを必要とする人々の場所情報に緊密に結び付けられる。ＰＳＴＮ加入者のための場所情報を提供することは、接続が静的であることから比較的容易であった。移動体通信ネットワークにおいては、これは、通常、全地球測位サービス（ＧＰＳ）およびタイミング三角測量法を含む、移動局支援（ＭＳ−Ａ）技術および移動局ベース（ＭＳ−Ｂ）技術の組合せによって実現される。しかしながら、ＷＬＡＮまたはＷＡＮなどのワイヤレスネットワーク上の通信となると、ユーザーの場所を特定すること、および提供することには課題がある。たとえば、デバイスによって使用されるＩＰアドレスは、このＩＰアドレスが誰に割り当てられているのかをサービスプロバイダーにクエリすることによって、緊急応答センターがおおざっぱなやり方（たとえば、都市レベル）で場所を確認するのに役立つことがある。しかしながら、仮想プライベートネットワーク（ＶＰＮ）または他の通信プロトコルによって使用されるトンネリングプロトコルは、実際の場所をマスクすることがある。さらに、アクセスポイント（ＡＰ）の場所は、特に多数階ビルおよび同様の構成において、ユーザーの場所を正確に指し示さないことがある。
【発明の概要】
【０００３】
[0003]本概要は、詳細な説明において以下でさらに説明される概念の選択を、簡略化された形式において導入するために提供される。本概要は、特許請求される主題の重要な特徴または必須の特徴をもっぱら識別するようには意図されず、特許請求される主題の範囲を特定する補助となることも意図されない。
【０００４】
[0004]実施形態は、緊急サービス目的のためにユーザーに関連付けられた場所情報を提供することを対象とする。（さまざまなモダリティでの）ユーザー開始の緊急通信による、または１つまたは複数の既知の信号ソースを用いる外部トリガー信号によるトリガー時に、ワイヤレス通信デバイスを通してユーザー場所が特定され、緊急サービスプロバイダーに提供されてよい。他の例において、ユーザー場所は、周期的に特定され／更新され、緊急通信のトリガー時に精緻化されてもよい。さらなる例において、ユーザーのワイヤレスデバイスと、緊急サービスプロバイダーとの間の通信は、信頼できる通信を保証するために優先度付けされてよい。
【０００５】
[0005]これらの、および他の特徴ならびに効果は、以下の詳細な説明を読み、関連付けられた図面を再検討することから、明らかになるであろう。以上の一般的な説明と以下の詳細な説明との両方は、説明的なものであり、特許請求される態様を制限しないことが理解されるべきである。
【図面の簡単な説明】
【０００６】
【図１】[0006]ユーザー場所がユーザーのワイヤレス通信デバイスを通して緊急サービスプロバイダーに提供され得る、例示的な通信環境を示す図である。
【図２】[0007]緊急サービスのためのユーザー場所の特定において、複数のワイヤレスネットワークが、それぞれの場所サーバーおよび／または個々のユーザーデバイスを用いることができる、例示的な通信環境を示す図である。
【図３】[0008]緊急サービスのためのユーザー場所の特定において、複数のワイヤレスネットワークが、共有される場所サーバーおよび／または個々のユーザーデバイスを用いることができる、別の例示的な通信環境を示す図である。
【図４】[0009]ワイヤレスネットワークにおける複数のアクセスポイントからの信号のタイミングを通した、緊急サービス目的のためのユーザー場所特定の例を示す図である。
【図５】[0010]ＦＭ無線ソースの信号を通した、緊急サービス目的のためのユーザー場所特定の別の例を示す図である。
【図６】[0011]実施形態によるシステムが実装され得る、ネットワーク化された環境の図である。
【図７】[0012]実施形態が実装され得る、例示的なコンピューティング動作環境のブロック図である。
【図８】[0013]実施形態による、ワイヤレスネットワーク環境において緊急サービス目的のためにユーザー場所を特定するプロセスのための論理フロー図である。
【発明を実施するための形態】
【０００７】
[0014]上で簡単に説明されたように、（さまざまなモダリティでの）ユーザー開始の緊急通信による、または１つまたは複数の既知の信号ソースを用いる外部トリガー信号によるトリガー時に、ワイヤレス通信デバイスを通してユーザー場所が特定され、緊急サービスプロバイダーに提供されてよい。
【０００８】
[0015]以下の詳細な説明においては、詳細な説明の一部を形成し、その中で固有の実施形態または例の例証として示される、添付の図面への参照がなされる。これらの態様は組み合わされてよく、他の態様が利用されてもよく、構造的な変更が、本開示の趣旨または範囲から逸脱せずになされてもよい。したがって、以下の詳細な説明は、意味を限定することにおいて取られるべきでなく、本発明の範囲は、付属の特許請求の範囲およびその均等物によって定義される。実施形態は、パーソナルコンピューター上のオペレーティングシステム上で稼働するアプリケーションプログラムと連携して実行されるプログラムモジュールの一般的なコンテキストにおいて説明されるが、当業者は、態様がまた、他のプログラムモジュールと組み合わせて実装されてもよいことを認めるであろう。
【０００９】
[0016]一般に、プログラムモジュールは、ルーチン、プログラム、コンポーネント、データ構造、および個別のタスクを実施する、または個別の抽象データ型を実装する、他のタイプの構造を含む。さらに、当業者は、実施形態が、ハンドヘルドデバイス、マルチプロセッサシステム、マイクロプロセッサベースのまたはプログラム可能なコンシューマーエレクトロニクス、ミニコンピューター、メインフレームコンピューター、および同等のハードウェアを含む、他のコンピューターシステム構成で実践されてもよいことを理解するであろう。実施形態はまた、通信ネットワークを通してリンクされたリモート処理デバイスによってタスクが実施される、分散型コンピューティング環境において実践されてもよい。分散型コンピューティング環境において、プログラムモジュールは、ローカルおよびリモートの両方のメモリ記憶デバイスに配置されてもよい。
【００１０】
[0017]実施形態は、コンピューター実装されるプロセス（方法）、コンピューティングシステムとして、またはコンピュータープログラム製品もしくはコンピューター可読メディアなどの製造物品として、実装されてよい。コンピュータープログラム製品は、コンピューターシステムによって可読な、かつコンピュータープログラムをエンコードするコンピューター記憶メディアであってよく、コンピュータープログラムは、コンピューターまたはコンピューティングシステムに例示的なプロセスを実施させるための命令を含む。コンピューター可読記憶メディアは、コンピューター可読メモリデバイスである。コンピューター可読記憶メディアは、たとえば、揮発性コンピューターメモリ、不揮発性メモリ、ハードドライブ、フラッシュドライブ、フロッピー（登録商標）ディスク、またはコンパクトディスク、および同等のハードウェアメディアのうちの１つまたは複数を介して実装され得る。
【００１１】
[0018]図１は、ユーザー場所がユーザーのワイヤレス通信デバイスを通して緊急サービスプロバイダーに提供され得る、例示的な通信環境を示す。
[0019]上で言及されたように、ＷＬＡＮおよび同様の構成などのワイヤレスネットワークは、従来型のＰＳＴＮ通話または移動体通信通話に取って代わる、またはそれを補完するマルチモーダル通信を、ますます提供する。図１００に示されるユーザー１０９などのユーザーは、ポータブルデバイス１０８などの、ワイヤレス通信能力を有する定置型のまたはポータブルのコンピューティングデバイスを用いて、同じワイヤレスネットワーク上で、または（ＰＳＴＮおよび移動体通信ネットワークを含む）他のネットワーク上で、他のユーザーと通信することができる。通信は、限定はされないが、音声通話、ビデオ通信、テキストメッセージング、電子メール交換、データ共有、アプリケーション共有、ホワイトボード共有、および同等のものを含むことができる。
【００１２】
[0020]ワイヤレスネットワーク１１０において、ポータブルデバイス１０８は、アクセスポイント１０６を通して、ネットワークインフラストラクチャと通信することができる。ワイヤレスネットワークは、通常、複数のアクセスポイントを含み、ポータブルデバイス１０８は、信号品質、場所、および他の要因に応じて、アクセスポイントのうちの１つまたは複数と、所与の時間に通信していることがある。このようにして、アクセスポイントが定置型であり、その場所が知られていても、ユーザーが通信するためにポータブルデバイス１０８を使用しているとき、ユーザーの場所を正確に突き止めることができないことがある。
【００１３】
[0021]例示的な実施形態によるシステムは、認識による無線技法、周期的な三角測量、および緊急通話トリガーされる三辺測量を用いて、緊迫したユーザーの正確な位置付けを取得することができる。基礎をなす無線技術は、Ｗｉ−Ｆｉなどの標準のまたは専用のワイヤレス通信、およびＦＭなどの他の無線技術を使用することができるが、それらに限定はされない。いくつかの実施形態において、緊急通信がトリガーされると、最も高い考え得るサービス品質（ＱｏＳ）が、ワイヤレスおよびワイヤードリンク上で選択されてよい。通信が中断される、または打ち切られる確率を低減するために、ワイヤレスデバイスはまた、その変調レートを低下させること、その信号電力を増加させること、その他によって達成され得る、最も堅牢な送信に切り換えることができる。ネットワークおよびアクセスポイントも、緊急通信が進行中であることを検出するや否や、同じことを行うことができる。
【００１４】
[0022]緊急通信は、緊急サービスプロバイダー（たとえば、９１１）に音声通話を発信する、緊急テキストメッセージを送る、緊急サービスプロバイダー１０２へのビデオ通話を開始する、ビデオ通信の間の、システムによって自動的に検出され得るあらかじめ確立された緊迫したジェスチャ、および同等のアクションを行う、ユーザー１０９によってトリガーされてよい。緊急通信はまた、通信デバイスに取り付けられたセンサー（たとえば、ジャイロスコープ、加速度計、温度センサー、圧力センサー、放射線センサー、および同等のもの）などの外部信号によって、または、監視エンティティ（たとえば、ポータブルデバイス１０８を通してユーザーの場所を監視するサービスが、ユーザーがあらかじめ定義された境界の外側にいることを特定すると、通信を開始することができる、その他）からの信号によってトリガーされてもよい。
【００１５】
[0023]いくつかの実施形態において、場所サーバー１０４は、ポータブルデバイス１０８、アクセスポイント１０６、および／またはワイヤレスネットワーク１１０に接続された他のデバイスから受信されたデータに基づいた場所情報を、保持するために用いられてよい。ポータブルデバイスが情報を緊急サービスプロバイダー１０２に提供することができるように、場所サーバー１０４は、ユーザーの場所を特定し、場所クエリに対する応答においてその情報をポータブルデバイス１０８に提供することができる。さらなる実施形態においては、ポータブルデバイス１０８が、ユーザーの場所をそれ自身で特定し、情報を緊急サービスプロバイダー１０２に提供することができる。場所サーバー１０４はまた、ジオマッピングを用いて、特定された場所を既知の場所にマップすることができる。
【００１６】
[0024]図２は、緊急サービスのためのユーザー場所の特定において、複数のワイヤレスネットワークが、それぞれの場所サーバーおよび／または個々のユーザーデバイスを用いることができる、例示的な通信環境を示す。
【００１７】
[0025]図２００は、ユーザーが１つまたは複数のモダリティで通信することを可能にする、３つの例示的なワイヤレスネットワーク２１０−１、２１０−２、および２１０−３を示す。ワイヤレスネットワークの各々は、同様のまたは別個の、構成、ユーザーデバイスの数、インフラストラクチャコンポーネント（サーバー、アクセスポイント、など）、その他を有することができる。例証目的のために、各ワイヤレスネットワークは、それぞれのアクセスポイント（２０６−１、２０６−２、および２０６−３）と通信する代表的なポータブルデバイス（２０８−１、２０８−２、および２０８−３）と共に示される。例証される例示的な構成において、各ワイヤレスネットワーク２１０−１、２１０−２、および２１０−３は、それら独自の場所サーバー２０４−１、２０４−２、および２０４−３を有することができる。それぞれの場所サーバーは、それぞれのワイヤレスネットワークに関連付けられたポータブルデバイスのための場所情報を保持し、情報をポータブルユーザーまたは緊急サービスプロバイダー２０２に提供することができる。
【００１８】
[0026]図３は、緊急サービスのためのユーザー場所の特定において、複数のワイヤレスネットワークが、共有される場所サーバーおよび／または個々のユーザーデバイスを用いることができる、別の例示的な通信環境を示す。
【００１９】
[0027]図２と同様に、図３００は、ユーザーが１つまたは複数のモダリティで通信することを可能にする、３つの例示的なワイヤレスネットワーク３１０−１、３１０−２、および３１０−３を示す。各ワイヤレスネットワークは再び、それぞれのアクセスポイント（３０６−１、３０６−２、および３０６−３）と通信する代表的なポータブルデバイス（３０８−１、３０８−２、および３０８−３）と共に示される。しかしながら、図２とは異なって、図３００における例証される例示的な構成は、共通の場所サーバー３０４を共有する各ワイヤレスネットワーク３１０−１、３１０−２、および３１０−３を有する。場所サーバー３０４は、ワイヤレスネットワークに関連付けられたポータブルデバイスのための場所情報を保持し、情報をポータブルユーザーまたは緊急サービスプロバイダー３０２に提供することができる。いくつかの例において、場所サーバー３０４は、ワイヤレスネットワークに提供される別々のサービス、または緊急サービスプロバイダー３０２の一部であってもよい。
【００２０】
[0028]図４は、ワイヤレスネットワークにおける複数のアクセスポイントからの信号のタイミングを通した、緊急サービス目的のためのユーザー場所特定の例を示す。
[0029]上で論じられたように、緊急サービスのための場所特定は、緊急用に用意されている、同時接続で緊急通信トリガーされる三角測量によって、または周期的な三角測量によって実施されてよい。認識による改善が、さらに場所特定を支援することができる。ユーザートリガーされるオプションでは、ポータブルデバイス４０８を通して、モダリティ（１：１またはグループ音声通話、１：１またはグループビデオ会議、テキストメッセージング、アプリケーション共有、その他）を選択することができる。ポータブルデバイス４０８は、ノートブック、タブレット、スマートフォン、車両搭載コンピューター、特殊化された通信デバイス、その他であってよい。通信は、ＶｏＩＰ通話または同等のセッションであってよい。
【００２１】
[0030]例示的なシナリオにおいて、ユーザーが緊急通信を開始すると、以下のイベントのシーケンスが発生してよい。ポータブルデバイス４０８に対応するＷｉ−Ｆｉスタックが、アクセスポイント（４０６−１、４０６−２、および４０６−３）をビューにおいてリストすることができる。ポータブルデバイス４０８は、プローブを、ビューにおけるルーターのサブセットに送ることができ、信頼できるアクセスポイントのリストが保存されてよい。信頼できるとは、電力閾値を上回る受信信号強度インジケータ（ＲＳＳＩ）、あらかじめ定義された閾値を下回るパケットエラーレート、繰り返しの数があらかじめ定義された閾値よりも少ない、その他などの、あらかじめ定義された基準を満たすアクセスポイントを意味することができる。
【００２２】
[0031]次に、ポータブルデバイス４０８は、アクセスポイント場所（Ｘ１、Ｘ２、およびＸ３）およびアクセスポイント信号のタイミング（Ｔ１、Ｔ１＋Δ１、およびＴ１＋Δ２）に基づいて、三角測量を実施することができる。ポータブルデバイス４０８はまた、アクセスポイントが場所情報を有さない場合には、場所サーバー４０４からの支援された場所改善を実施することができる。そのシナリオでは、ポータブルデバイス４０８は、場所サーバー４０４にクエリして、可視アクセスポイント４０６−１、４０６−２、および４０６−３の場所を取得することができる。場所情報は次いで、ネットワーク４１０上で、緊急サービスプロバイダー４０２に送られてよい。
【００２３】
[0032]いくつかの実施形態において、ポータブルデバイス４０８は、たとえば、ＶｏＩＰ通話の間に登録された可視アクセスポイントの周期的なスキャニングを実施することができる。そのリストは、周期的な三角測量のために使用されてよい。さらなる実施形態において、認識による情報が、利用可能なときに、場所をさらに精緻化するために使用されてもよい。認識による情報は、限定はされないが、アクセスポイントのハードウェアアドレス、オフィス番号および場所、ユーザーのカレンダー上の会議室、移動体通信三角測量、および同様のものを含むことができる。
【００２４】
[0033]図５は、ＦＭ無線ソースの信号を通した、緊急サービス目的のためのユーザー場所特定の別の例を示す。
[0034]図５００は、図４００と比較して異なるシナリオを示しており、ここでは、アクセスポイントからはいずれの場所情報も利用可能でないことがある、または、単一のアクセスポイント５０６がポータブルデバイス５０８に利用可能であってよい。実施形態によるシステムは、任意の既知の、および好適な信号ソースを利用して、ポータブルデバイス５０８の場所を特定することができる。図５００の例示的なシナリオでは、ＦＭ無線局による周期的なブロードキャスト情報が使用されてよい（同様に、ＴＶ局、緊急ブロードキャストビーコン、および同様のソースがまた使用されてもよい）。周期的なブロードキャスト情報は、局名、通知、その他を含むことができる。またＲＤＳ（無線データシステム）またはＲＢＤＳ（無線ブロードキャストデータシステム）としても知られ、局５２２−１、５２２−２、および５２２−３からのこの無線局固有の情報は、チャネルおよび場所を無線局に一意に識別するために、ポータブルデバイス５０８によって使用されてもよい。
【００２５】
[0035]無線局の場所はまた、場所サーバー５０４を介して解決されてもよく、場所サーバー５０４は、都市のような地理的エリアにおける無線局のデータベースを含むことができる。受信機がスキャニング中に「見る」複数の無線局が、図４で論じられたアクセスポイントおよび計算されたポータブルデバイス５０８の場所を通して、三角測量と同様の三辺測量のために使用されてよい。精度をさらに増加させるために、既知のブロードキャストの到着の時間差、局名、および局送信アンテナの既知の場所が、デバイスの場所を計算するために使用されてもよい。
【００２６】
[0036]上で論じられた構成は、例証目的のための例示的な構成である。実施形態は、本明細書で説明される原理を使用して、他の構成およびアプローチで実装されてもよい。たとえば、緊急サービスビーコンネットワークが、ワイヤレス通信デバイスによって確立され、使用されて、ワイヤレス通信デバイスの場所を三角測量することができる。通信モダリティは、本明細書で論じられたモダリティ、または他のモダリティを、個々に、または組合せにおいて含むことができる。さらに、緊急通信は、ユーザー、ユーザーの代わりの継続中の通信の関係者、またはクラッシュ検出器などの他の外部トリガー信号によって、トリガーされてもよい。ユーザーの場所を正確に指摘するために使用されるプロセスおよび論理は、ポータブルデバイスで、場所サーバーで、ネットワークにおいて、またはそれらの任意の組合せで実装されてよい。
【００２７】
[0037]窮地にいるユーザーへのワイヤレスリンクが切断されないことを確実にするために、いくつかの実施形態において、シグナリングおよび通信のための最も高い考え得るＱｏＳが、ポータブルデバイスによって選択されてよい。加えて、ネットワークインフラストラクチャは、その最も堅牢なモードに切り換えることができ、いくつかの例において、それは変調レートを低下させることによって実現されてよい。例示的なシナリオは、以下の通りであってよい。窮地にいるユーザーが、ワイヤレスで接続されたデバイスで、緊急通信を開始することができる。緊急応答センターへの直接通信リンクが確立されてよい（シグナリング＋音声チャネル）。ワイヤレスで接続されたデバイスは、そのセンサーを使用した座標を取得するための場所ソース、無線（ＧＰＳ、Ｗｉ−Ｆｉ、移動体通信、ＦＭ、その他）を使用して、自身の場所の緯度／経度を取得することができる。そして、その場所が、デバイスに返され、緊急応答センサーに送られてよい。
【００２８】
[0038]ポータブルデバイスの場所は、ポータブルデバイスでなどのいくつかの箇所において再構築されてその後場所サーバーに送られてもよく、または、電力を節約し、より高度な信号処理を提供する場所サーバーで、もしくは追加的な計算能力を有するクラウドにおいて再構築されてもよい。
【００２９】
[0039]図６は、実施形態が実装され得る、例示的なネットワーク化された環境である。以下で論じられる通信アプリケーション７２２などのローカルにインストールされたアプリケーションに加えて、通信サービスはまた、ホスト型アプリケーションおよびサービスと連携して用いられてよく、ホスト型アプリケーションおよびサービスは、１つまたは複数のサーバー６０６または個々のサーバー６０８上で実行されるソフトウェアを介して実装されてよい。ホスト型通信サービスまたはアプリケーションは、ｗｅｂベースのサービスまたはアプリケーション、クラウドベースのサービスまたはアプリケーション、および同様のものであってよく、ネットワーク６１０を通して、ハンドヘルドコンピューター６０１、ラップトップコンピューター６０２、スマートフォン６０３、またはタブレットコンピューター６０４など（「クライアントデバイス」）の、個々のコンピューティングデバイス上でクライアントアプリケーションと通信し、ユーザーに提示されるユーザーインターフェイスを制御することができる。そのようなサービスは、ユーザーが、さまざまなモダリティを用いる他のユーザーと対話し、本明細書で論じられたような場所特定を使って（モダリティのうちの任意の１つでの）緊急通信を開始することを可能にすることができる。
【００３０】
[0040]クライアントデバイス６０１〜６０４は、ホスト型サービスまたはアプリケーションによって提供される機能性にアクセスするために使用される。サーバー６０６のうちの１つもしくは複数、またはサーバー６０８は、上で論じられたような場所特定サービスを提供するために使用されてよい。関連データは、サーバー６０６のうちの任意の１つによって、またはデータベースサーバー６１２によって管理され得る、１つまたは複数のデータストア（たとえば、データストア６１４）に記憶されてよい。
【００３１】
[0041]ネットワーク６１０は、サーバー、クライアント、インターネットサービスプロバイダー、および通信メディアの、任意のトポロジを含むことができる。実施形態によるシステムは、静的な、または動的なトポロジを有することができる。ネットワーク６１０は、エンタープライズネットワークなどのセキュアなネットワーク、ワイヤレスオープンネットワークなどのセキュアでないネットワーク、またはインターネットを含むことができる。ネットワーク６１０はまた、ＰＳＴＮまたは移動体通信ネットワークなどの他のネットワーク上での通信を調整することができる。ネットワーク６１０は、本明細書で説明されるノード間に通信を提供する。限定ではなく例として、ネットワーク６１０は、アコースティック、ＲＦ、赤外線、および他のワイヤレスメディアなどのワイヤレスメディアを含むことができる。
【００３２】
[0042]コンピューティングデバイス、アプリケーション、データソース、およびデータ分散システムの多くの他の構成が、ワイヤレスネットワークにおける緊急サービスのための場所特定を提供するために用いられてよい。さらに、図６で論じられるネットワーク化された環境は、例証目的のみのためである。実施形態は、例示的なアプリケーション、モジュール、またはプロセスに限定はされない。
【００３３】
[0043]図７および関連付けられた議論は、実施形態が実装され得る、好適なコンピューティング環境の簡単な一般的な説明を提供するように意図される。図７を参照すると、コンピューティングデバイス７００などの、実施形態によるアプリケーションのための例示的なコンピューティング動作環境のブロック図が示される。基本的な構成において、コンピューティングデバイス７００は、いくつかの例においてタッチおよび／またはジェスチャ検出能力を含むことができ、少なくとも１つの処理ユニット７０２およびシステムメモリ７０４を含むことができる、ワイヤレス通信能力を有する任意のポータブルコンピューティングデバイスであってよい。コンピューティングデバイス７００はまた、プログラムの実行において協働する複数の処理ユニットを含むことができる。厳密な構成およびコンピューティングデバイスのタイプに応じて、システムメモリ７０４は、揮発性（ＲＡＭなど）、不揮発性（ＲＯＭ、フラッシュメモリ、など）または２つのなんらかの組合せであってよい。システムメモリ７０４は、Ｗａｓｈｉｎｇｔｏｎ、ＲｅｄｍｏｎｄのＭＩＣＲＯＳＯＦＴ  ＣＯＲＰＯＲＡＴＩＯＮからの、ＷＩＮＤＯＷＳ（登録商標）、ＷＩＮＤＯＷＳ  ＭＯＢＩＬＥ（登録商標）、またはＷＩＮＤＯＷＳ  ＰＨＯＮＥ（登録商標）オペレーティングシステムなどの、プラットフォームの動作を制御するのに好適なオペレーティングシステム７０５を通常含む。システムメモリ７０４はまた、通信アプリケーション７２２などの１つまたは複数のソフトウェアアプリケーション、および場所モジュール７２４を含むことができる。
【００３４】
[0044]通信アプリケーション７２２は、１つまたは複数のモダリティを通したワイヤレスネットワーク上での他のデバイスとの通信、および緊急サービスプロバイダーとの緊急通信もまた可能にすることができる。場所モジュール７２４は、（アクセスポイント、無線局、ＴＶ局、および他のソースに基づいた）三角測量、ならびに認識による情報を通してコンピューティングデバイス７００の場所を特定し、場所情報を緊急サービスプロバイダーに提供することができる。この基本構成は、破線７０８内のそれらのコンポーネントによって図７に示される。
【００３５】
[0045]コンピューティングデバイス７００は、追加的な特徴または機能性を有することができる。たとえば、コンピューティングデバイス７００はまた、たとえば、磁気ディスク、光学ディスク、またはテープなどの（リムーバブルおよび／または非リムーバブルの）追加的なデータ記憶デバイスを含むことができる。そのような追加的な記憶装置が、リムーバブル記憶装置７０９および非リムーバブル記憶装置７１０によって図７に示される。コンピューター可読記憶メディアは、コンピューター可読命令、データ構造、プログラムモジュール、または他のデータなどの情報の記憶のための任意の方法または技術において実装される、揮発性および不揮発性の、リムーバブルおよび非リムーバブルのメディアを含むことができる。システムメモリ７０４、リムーバブル記憶装置７０９、および非リムーバブル記憶装置７１０は、すべてコンピューター可読記憶メディアの例である。コンピューター可読記憶メディアは、ＲＡＭ、ＲＯＭ、ＥＥＰＲＯＭ、フラッシュメモリもしくは他のメモリ技術、ＣＤ−ＲＯＭ、デジタル多用途ディスク（ＤＶＤ）もしくは他の光学記憶装置、磁気カセット、磁気テープ、磁気ディスク記憶装置もしくは他の磁気記憶デバイス、または、所望の情報を記憶するために使用されてよく、コンピューティングデバイス７００よってアクセスされてよい任意の他のメディアを含むが、これらに限定されない。任意のそのようなコンピューター可読記憶メディアは、コンピューティングデバイス７００の一部であってよい。コンピューティングデバイス７００はまた、キーボード、マウス、ペン、音声入力デバイス、タッチ入力デバイス、ジェスチャ検出のための光学キャプチャデバイス、および同等の入力デバイスなどの、入力デバイス７１２を有することができる。ディスプレイ、スピーカー、プリンター、および他のタイプの出力デバイスなどの、出力デバイス７１４もまた含まれてよい。これらのデバイスは、当技術分野ではよく知られており、ここで長々と議論される必要はない。
【００３６】
[0046]コンピューティングデバイス７００はまた、分散型コンピューティング環境におけるワイヤレスネットワーク、衛星リンク、移動体通信リンク、および同等のメカニズムの上などで、本デバイスが他のデバイス７１８と通信するのを可能にする通信接続７１６を収容することができる。他のデバイス７１８は、通信アプリケーションを実行するコンピューターデバイス、および同等のデバイスを含むことができる。通信接続７１６は、通信メディアの一例である。通信メディアは、その中に、コンピューター可読命令、データ構造、プログラムモジュール、または搬送波もしくは他のトランスポートメカニズムなどの変調データ信号における他のデータを含むことができ、任意の情報配信メディアを含む。用語「変調データ信号」は、信号における情報をエンコードするようなやり方で設定または変更された、その特性のうちの１つまたは複数を有する信号を意味する。限定ではなく例として、通信メディアは、ワイヤードネットワークまたは直接ワイヤード接続などのワイヤードメディア、ならびにアコースティック、ＲＦ、赤外線および他のワイヤレスメディアなどのワイヤレスメディアを含む。
【００３７】
[0047]例示的な実施形態はまた、方法を含む。これらの方法は、本文書において説明された構造を含む、任意の数のやり方で実装され得る。１つのそのようなやり方は、本文書で説明されたタイプのデバイスのマシン動作による。
【００３８】
[0048]別のオプションのやり方は、方法の個々の動作のうちの１つまたは複数が、なんらかを実施する１人または複数の人間のオペレータと連携して実施されることになる場合である。これらの人間のオペレータは、互いに一緒に配置される必要はなく、各人は、プログラムの一部を実施するマシンを有しているだけでよい。
【００３９】
[0049]図８は、実施形態による、ワイヤレスネットワーク環境において緊急サービス目的のためのユーザー場所を特定するプロセスのための論理フロー図を示す。プロセス８００は、通信アプリケーションまたは緊急サービスの一部として実装されてよい。
【００４０】
[0050]プロセス８００は、緊急通信トリガーが受信される、オプションの動作８１０で始まる。緊急通信トリガーは、緊急通信を開始するユーザー、または緊急通信を自動的に開始する（センサーからの１つなどの）外部信号であってよい。オプションの動作８１０の後に、アクセスポイント、無線局、ＴＶ局、その他からの信号などの、１つまたは複数の外部信号に基づいてユーザーの通信デバイスの場所が特定され得る、動作８２０が続いてよい。場所の特定はまた、通信デバイスを緊急通信用に用意しておくために、（トリガー信号なしで）周期的に実施されてもよい。
【００４１】
[0051]動作８３０で、場所情報は、認識による情報などの追加的な情報に基づいて、さらに精緻化されてよい。動作８３０の後に、場所情報が緊急サービスプロバイダーに提供され得る、動作８４０が続いてよい。動作８４０の後に、開始された緊急通信が、緊急サービスプロバイダーとの中断されない通信を保証するために優先度付けされ得る、オプションの動作８５０が続いてよい。
【００４２】
[0052]プロセス８００に含まれる動作は、例証目的のためである。実施形態による、ワイヤレスネットワークにおける緊急サービスのための場所特定は、より少ない、または追加的なステップを含む、ならびに本明細書で説明された原理を使用した動作の異なる順序での、同様のプロセスによって実装されてもよい。
【００４３】
[0053]いくつかの実施形態は、通信モジュール、メモリデバイス、およびプロセッサを含むコンピューティングデバイスにおいて実装されてよく、ここで、プロセッサは、メモリデバイスに記憶された命令と連携して、上で説明されたような方法、または同等の方法を実行する。他の実施形態は、上で説明されたような方法、または同様の方法を実行するための命令が記憶されたコンピューター可読メモリデバイスとして実装されてもよい。ハードウェアのさまざまな実装形態としてのメモリデバイスの例は、上で論じられている。
【００４４】
[0054]以上の明細書、例、およびデータは、実施形態の構成の製造および使用の完全な説明を提供する。本主題が構造的特徴および／または方法論的行為に固有の言語で説明されてきたが、付属の特許請求の範囲において定義される本主題は、必ずしも上で説明された固有の特徴または行為に限定されないことが理解されるべきである。むしろ、上で説明された固有の特徴および行為は、特許請求の範囲および実施形態を実装する例示的な形態として開示される。
【図７】
2016508355.tif 000003
【図８】
2016508355.tif 000004
【図１】
2016508355.tif 000005
【図２】
2016508355.tif 000006
【図３】
2016508355.tif 000007
【図４】
2016508355.tif 000008
【図５】
2016508355.tif 000009
【図６】
2016508355.tif 000010
【国際調査報告】
2016508355.tif 000011
2016508355.tif 000012